(57)【要約】【課題】フェムトセルに登録されている携帯電話がそのサービスエリアに在圏した場合、通話料金が移動通信網より安価なＩＰ電話網を介して着信・発信接続する。【解決手段】インターネット１０２網経由で家庭／オフィス１０３内に設置されたフェムトセル１０５に登録されている携帯電話１０６が、そのフェムトセル１０５のサービスエリアに在圏した場合に、他の携帯電話から着信があると、移動通信網１０１にあるＭＳＣ２０１はＨＬＲ２０２にある番号変換テーブル２０４の登録携帯電話ユーザ情報を確認し、登録携帯電話番号をＩＰ電話の電話番号に変換してＩＰ電話交換機に対して発信する。ＩＰ電話交換機は、着番号の電話番号から接続すべきＩＰ電話を検索し接続するが、この時フェムトセル２０５は自身の番号変換テーブル２０７から着信した電話番号を登録されている携帯電話番号に変換し呼出し、着信があった携帯電話１０６側で応答すると通話状態となる。【選択図】  図２
2010200073.tif 000002
【特許請求の範囲】
【請求項１】
携帯電話のサービスを行う移動通信網と、ＩＰ交換機を備えたインターネットと、ＩＰ電話機と小型基地局を備え、インターネットに接続され、小型基地局が発射する電波を受信することで携帯電話機が携帯電話サービスを利用可能な小型無線通信網と、を備えた通信システムにおいて、
前記移動通信網は、
携帯電話と無線基地局間に無線チャネルの割当及びルーティング処理を実施する移動通信制御局（ＭＳＣ）と、
小型基地局に登録されている登録携帯電話の携帯番号に対して、小型無線通信網に設置されているＩＰ電話のＩＰ電話番号、登録携帯電話が小型基地局のエリアに在圏するか圏外かを示す転送フラグを記憶するＨＬＲ番号変換テーブルを有し、携帯電話が在圏状況を管理する位置レジスタ（ＨＬＲ）と
を備え、
前記小型無線通信網は、
小型基地局に登録されている登録携帯電話の携帯番号に対して、小型無線通信網に設置されているＩＰ電話機のＩＰ電話番号を含む小型基地局番号変換テーブル
を備え、
小型基地局に登録されていない一般携帯電話が、小型基地局に登録されている登録携帯電話へ発信した場合、一般携帯電話は、無線基地局との間に確立された無線チャネルを使用しＭＳＣへサービス要求信号を送信し、
ＭＳＣは、ＨＬＲに接続先の携帯電話番号を送り、
ＨＬＲは、ＨＬＲ番号変換テーブルを参照し、着信側の前記携帯電話の携帯番号に対応する転送フラグを確認し、転送フラグが在圏を示す場合に前記携帯番号をＩＰ電話番号に変換し、ＩＰ電話番号を含む応答情報をＭＳＣに送信し、
ＭＳＣは、前記応答情報から着信すべきＩＰ電話番号を確認し、ＩＰ交換機まで回線を接続し、
ＩＰ交換機は、インターネットを介して接続されている小型基地局に対して回線接続を行い、ＩＰ電話番号を小型基地局に送信し、
小型基地局は、小型基地局番号変換テーブルを参照して、ＩＰ電話番号を携帯番号に変換し、その登録されている携帯番号にて着信すべき携帯電話の着信呼出を行う
ことを特徴とする前記通信システム。
【請求項２】
ＨＬＲは、着信携帯電話の携帯番号に対応する転送フラグが圏外を示す場合には、ＨＬＲが読み込んだ着信すべき携帯電話の位置登録情報から接続すべき着信側のＭＳＣを特定し、着信側のＭＳＣへ着信処理依頼を実施することを特徴とする請求項１に記載の通信システム。
【請求項３】
前記小型基地局番号変換テーブルは、携帯番号に対して、さらに、小型無線通信網内のＩＰ電話機の代表ＩＰ電話番号、ＩＰ電話呼出フラグを含み、
前記着信呼出しの際、小型基地局が予め定められた時間、着信携帯電話からの応答を受信しない場合には、小型基地局は、小型基地局番号変換テーブルを参照し、携帯番号に対応するＩＰ電話呼出フラグを確認し、ＩＰ電話呼出フラグに従い、呼接続を終了させること、又は、それまで呼出を行っていた携帯番号を代表ＩＰ電話番号に変換して代表ＩＰ電話の呼出を実行することのいずれかを実行することを特徴とする請求項１又は２に記載の通信システム。
【請求項４】
ＨＬＲ番号変換テーブル及び小型基地局番号変換テーブルには、小型基地局に登録されている複数の携帯電話を全て同一のＩＰ電話番号とし、各携帯番号に対して、ユーザ識別番号または内線番号を回線接続時の内線番号情報として設定し、
ＭＳＣは、ＩＰ交換機を経て小型基地局へ、回線接続メッセージに前記内線番号情報を含めて伝送し、小型基地局が前記内線番号情報に従い前記小型基地局番号変換テーブルを参照し、着信すべき携帯番号を識別することを特徴とする請求項１乃至３のいずれかに記載の通信システム。
【請求項５】
携帯電話のサービスを行う移動通信網と、ＩＰ交換機を備えたインターネットと、ＩＰ電話機と小型基地局を備え、インターネットに接続され、小型基地局が発射する電波を受信することで携帯電話機が携帯電話サービスを利用可能な小型無線通信網と、を備えた通信システムにおいて、
前記移動通信網は、
携帯電話と無線基地局間に無線チャネルの割当及びルーティング処理を実施する移動通信制御局（ＭＳＣ）
を備え、
前記小型無線通信網は、
小型基地局に登録されている登録携帯電話の携帯番号に対して、小型無線通信網に設置されているＩＰ電話機のＩＰ電話番号、又は、そのＩＰ電話機の代表ＩＰ電話番号、小型基地局のサービス可能エリアに在圏か圏外かを識別する在圏フラグを含む小型基地局番号変換テーブル
を備え、
小型基地局のサービスエリアで小型基地局に登録されている登録携帯電話から小型基地局に登録されていない一般携帯電話に発信した場合、小型基地局は、小型基地局番号変換テーブルを参照し、発信携帯番号に対応する在圏フラグが在圏を示す場合は、発信携帯番号に対応するＩＰ電話番号または小型無線通信網の代表ＩＰ電話番号を検索し、検索されたＩＰ電話番号又は代表ＩＰ電話番号を呼設定要求の発ＩＤ情報として設定して、ＩＰ交換機に対して呼設定要求を実施し、
小型基地局からの呼設定要求を受信したＩＰ交換機は、移動通信網にあるＭＳＣに対して回線接続要求を行い、
ＩＰ交換機からの回線接続要求を受信したＭＳＣは、ＨＬＲに対して着信すべき接続先の電話番号を送信し着信先情報の問合せを行い、
ＨＬＲは、着信すべき一般携帯電話の位置情報を読み込んで、着信側のＭＳＣを特定し、着信側のＭＳＣに対して着信処理を依頼する応答を送信し、
着信を通知された着信側のＭＳＣは、応答の情報により、着信すべき一般携帯電話がその位置登録エリアに在圏するかを確認するために一斉呼出しメッセージを送信する
ことを特徴とする前記通信システム。
【請求項６】
前記小型基地局番号変換テーブルは、携帯番号に対して、さらに、発信した場合の発信元の番号表示を示す発ＩＤ情報を含み、
小型基地局は、小型基地局番号変換テーブルを参照し、登録携帯番号に対応する発ＩＤ設定に設定されている情報により、携帯番号が設定されている場合には、発信した携帯電話の携帯番号、代表ＩＰ電話番号が設定されている場合には、発信した携帯電話が登録されている小型基地局が接続されている代表ＩＰ電話番号を呼設定要求の発ＩＤ情報として設定することを特徴とする請求項５に記載の通信システム。
【請求項７】
携帯電話のサービスを行う移動通信網と、ＩＰ交換機を備えたインターネットと、ＩＰ電話機と小型基地局を備え、インターネットに接続され、小型基地局が発射する電波を受信することで携帯電話機が携帯電話サービスを利用可能な小型無線通信網と、を備えた通信システムにおいて、
前記小型無線通信網は、
小型基地局に登録されている登録携帯電話の携帯番号に対して、小型無線通信網に設置されているＩＰ電話機の代表ＩＰ電話番号、小型基地局のサービス可能エリアに在圏か圏外かを識別する在圏フラグ、一斉呼出フラグを含む小型基地局番号変換テーブル
を備え、
小型基地局に登録されていない一般電話が、小型無線通信網に設置されている代表ＩＰ電話番号に発信した場合、一般電話からの発信を受信したＩＰ交換機は、小型基地局に対して着信電話番号を代表ＩＰ電話番号として回線接続要求を送信し、
ＩＰ交換機からの回線接続要求を受信した小型基地局は、小型基地局番号変換テーブルを参照し、登録されているひとつまたは複数の携帯電話の在圏フラグの確認を行い、在圏フラグが在圏を示すひとつ又は複数の携帯電話について、一斉呼出フラグのＯＮ／ＯＦＦ確認を行い、
小型基地局は、一斉呼出フラグがＯＮである一つまたは複数の携帯電話に呼出呼設定を行い呼出す
ことを特徴とする前記通信システム。
【請求項８】
前記小型基地局番号変換テーブルは、携帯番号に対して、さらに、ＩＰ電話呼出フラグを含み、
小型基地局は、前記呼出呼設定のとき、予め定められた時間、携帯電話から応答を小型基地局が受信しない場合には、小型基地局は、小型基地局番号変換テーブルを参照し、各携帯番号に対するＩＰ電話呼出フラグのＯＮ／ＯＦＦ状態を確認し、ＩＰ電話呼出フラグに従い呼接続を終了させること、又は、それまで呼出を行っていた携帯番号を代表ＩＰ電話番号に変換して代表ＩＰ電話の呼出を実行することのいずれかを実行することを特徴とする請求項７に記載の通信システム。
【請求項９】
小型基地局は、呼出呼設定のとき、代表ＩＰ電話番号と、該代表ＩＰ電話番号を登録している携帯電話の携帯番号を同時に呼出しすることを特徴とする請求項７又は８に記載の通信システム。
【請求項１０】
小型基地局は、呼出呼設定のとき、代表ＩＰ番号のみ呼出し後に、該代表ＩＰ電話番号を登録している携帯電話の携帯番号を呼出しすることを特徴とする請求項７又は８に記載の通信システム。
【発明の詳細な説明】
【技術分野】
【０００１】
本発明は、通信システムに係り、特に、小型基地局（以下、フェムトセルと呼称）を利用した通信システムに関する。
【背景技術】
【０００２】
３Ｇ携帯の使用する２ＧＨｚの周波数帯では電波の直進性が増すため、屋外に鉄塔を立てて設置するマクロセルの基地局だけでは、建物の高層階等の屋内にまで十分な電波を送ることが困難な場合がある。また、住宅が点在しているような過疎地域にも、費用対効果等の理由によりマクロセルの基地局を建局できないために、基地局からの電波が届かない不感地域がまだ残る場合があり、各携帯電話キャリアは、その不感地域を無くすことが課題となっている。この課題を解決するために、より小さな基地局を屋内向けに設置することや、屋外の電波を増幅して屋内に送り込むリピータ設置などの不感地帯を解消すべく取り組みが行われてきたが、そのためのアンテナ設備や制御装置の規模も金額も大きく、携帯電話キャリアの設備投資の大きな部分を占めている。
また、従来、電話がかかってきた場合に、他の携帯電話や固定電話／ＩＰ電話に着信を転送するサービスとして、携帯キャリアや固定電話事業者では転送サービスという機能があったが、その転送サービスは携帯電話から固定電話／ＩＰ電話、または固定電話／ＩＰ電話から携帯電話へと手動で転送設定を実施するものであった。さらに、特開２００６−０５０２３９号公報には、会社内では内線電話となり会社外では通常の携帯電話として利用可能な、携帯電話に無線ＬＡＮ端末の機能が付与されているデュアル携帯電話のような機能について記載されている。
【先行技術文献】
【特許文献】
【０００３】
【特許文献１】特開２００６−０５０２３９号公報
【非特許文献】
【０００４】
【非特許文献１】3GPP2  A.S0001-A（3GPP2  Access  Network  Interfaces  Interoperability  Specification）
【発明の概要】
【発明が解決しようとする課題】
【０００５】
携帯電話と固定電話間の通話料金は、携帯電話−携帯電話間や固定電話−固定電話間の通話料金と比較し割高であり、インターネットを利用したＩＰ電話の出現により益々通話料金に差が広がってきている。また、昨今の携帯電話の普及により、今後は益々移動通信網のリソースが不足し携帯電話へ接続し難いといったサービス低下の可能性を抑制するためのアンテナ設備や制御装置への設備投資が増加すること、また、携帯電話の公衆網におけるサービス向上のために不感地域でのエリアカバレージ確保（屋内対策）といった携帯電話キャリアの設備投資を抑制することが、課題となっている。
【０００６】
そこで、本発明は、無線ＬＡＮのアクセスポイントのような形で提供されるフェムトセルが、家庭／オフィス内に引かれた電話の固定回線や光ファイバなどと接続することで、携帯電話が受信できるような電波を発射し不感地域を容易に補うために普及する携帯電話等の移動体におけるフェムトセル（無線通信基地局制御装置）を用いる。
しかし、従来は、フェムトセルのサービスエリアに在圏した携帯電話が、そのフェムトセルが発射する公衆の電波を利用したままで、そのまま携帯電話として家庭用のＩＰ電話の子機のイメージとして通話できる製品は存在していない。本発明は、フェムトセルを導入することにより、それら課題を解決しようとするものである。
本発明は、以上の点に鑑み、移動通信網を使用せずにＩＰ電話網を使用することによる通話料の削減すること、また、携帯電話が増加することによる移動通信網のリソースが不足し携帯電話へ接続し難いといったエンドユーザに対するサービス低下を緩和することを目的とする。更に、エンドユーザは、所有する携帯電話が家庭／オフィス内と外出先での通話手段として全て１台の携帯電話で使用可能となるため、ユーザが複数の電話を区別して使用するといった煩わしさがなくなり、ユーザの利便性を向上させることを目的とする。
【課題を解決するための手段】
【０００７】
本発明の第１の態様によると、
インターネット網経由で家庭またはオフィス内に設置された小型基地局に登録されている携帯電話が、そのフェムトセルのサービスエリアに在圏した場合に、他の携帯電話、または固定電話から携帯電話番号による着信があると、通話料金が移動通信網より安価なＩＰ電話網を介して接続させる方式が提供される。
また、本発明によると、インターネット網経由で家庭またはオフィス内に設置されたフェムトセルに複数の携帯電話が登録されている場合に、他の携帯電話、または固定電話から携帯電話番号による着信があると、着信電話番号から接続すべき携帯電話の識別を行い接続させることができる。
更に、本発明によると、インターネット網経由で家庭またはオフィス内に設置されたフェムトセルのサービスエリアに在圏している登録携帯電話に着信させ呼出しを実施したにもかかわらず、その着信のあった携帯電話が応答しない場合には、その携帯電話の呼出しを止め、家庭内の固定電話である代表ＩＰ電話に再度着信させることができる。
【０００８】
本発明の第２の態様によると、インターネット網経由で家庭またはオフィス内に設置されたフェムトセルに登録されている携帯電話が、そのフェムトセルのサービスエリアに在圏した場合に、他の携帯電話、または固定電話に発信すると、移動通信網より通信料が安価なＩＰ電話網を介し、移動通信網を使用せずに発信することで、通信料金を削減すること可能とする接続方式が提供される。
また、本発明によると、インターネット網経由で家庭またはオフィス内に設置されたフェムトセルのサービスエリアで登録されている携帯電話が発信した場合に、着信側の携帯電話または固定電話のディスプレイに表示可能とする発信側の発信者番号通知を携帯電話の電話番号、または固定電話の代表ＩＰ電話番号を選択し表示させることができる。
【０００９】
本発明の第３の態様によると、他の携帯電話、または固定電話が代表ＩＰ電話の電話番号で発信した場合に、インターネット網経由で家庭またはオフィス内に設置されたフェムトセルに登録され、且つ該当フェムトセルのサービスエリアに在圏している全ての携帯電話を一斉に呼出し着信させることを可能とする接続方式が提供される。
【００１０】
本発明の第１の解決手段によると、
携帯電話のサービスを行う移動通信網と、ＩＰ交換機を備えたインターネットと、ＩＰ電話機と小型基地局を備え、インターネットに接続され、小型基地局が発射する電波を受信することで携帯電話機が携帯電話サービスを利用可能な小型無線通信網と、を備えた通信システムにおいて、
前記移動通信網は、
携帯電話と無線基地局間に無線チャネルの割当及びルーティング処理を実施する移動通信制御局（ＭＳＣ）と、
小型基地局に登録されている登録携帯電話の携帯番号に対して、小型無線通信網に設置されているＩＰ電話のＩＰ電話番号、登録携帯電話が小型基地局のエリアに在圏するか圏外かを示す転送フラグを記憶するＨＬＲ番号変換テーブルを有し、携帯電話が在圏状況を管理する位置レジスタ（ＨＬＲ）と
を備え、
前記小型無線通信網は、
小型基地局に登録されている登録携帯電話の携帯番号に対して、小型無線通信網に設置されているＩＰ電話機のＩＰ電話番号を含む小型基地局番号変換テーブル
を備え、
小型基地局に登録されていない一般携帯電話が、小型基地局に登録されている登録携帯電話へ発信した場合、一般携帯電話は、無線基地局との間に確立された無線チャネルを使用しＭＳＣへサービス要求信号を送信し、
ＭＳＣは、ＨＬＲに接続先の携帯電話番号を送り、
ＨＬＲは、ＨＬＲ番号変換テーブルを参照し、着信側の前記携帯電話の携帯番号に対応する転送フラグを確認し、転送フラグが在圏を示す場合に前記携帯番号をＩＰ電話番号に変換し、ＩＰ電話番号を含む応答情報をＭＳＣに送信し、
ＭＳＣは、前記応答情報から着信すべきＩＰ電話番号を確認し、ＩＰ交換機まで回線を接続し、
ＩＰ交換機は、インターネットを介して接続されている小型基地局に対して回線接続を行い、ＩＰ電話番号を小型基地局に送信し、
小型基地局は、小型基地局番号変換テーブルを参照して、ＩＰ電話番号を携帯番号に変換し、その登録されている携帯番号にて着信すべき携帯電話の着信呼出を行う
ことを特徴とする前記通信システムが提供される。
【００１１】
本発明の第２の解決手段によると、
携帯電話のサービスを行う移動通信網と、ＩＰ交換機を備えたインターネットと、ＩＰ電話機と小型基地局を備え、インターネットに接続され、小型基地局が発射する電波を受信することで携帯電話機が携帯電話サービスを利用可能な小型無線通信網と、を備えた通信システムにおいて、
前記移動通信網は、
携帯電話と無線基地局間に無線チャネルの割当及びルーティング処理を実施する移動通信制御局（ＭＳＣ）
を備え、
前記小型無線通信網は、
小型基地局に登録されている登録携帯電話の携帯番号に対して、小型無線通信網に設置されているＩＰ電話機のＩＰ電話番号、又は、そのＩＰ電話機の代表ＩＰ電話番号、小型基地局のサービス可能エリアに在圏か圏外かを識別する在圏フラグを含む小型基地局番号変換テーブル
を備え、
小型基地局のサービスエリアで小型基地局に登録されている登録携帯電話から小型基地局に登録されていない一般携帯電話に発信した場合、小型基地局は、小型基地局番号変換テーブルを参照し、発信携帯番号に対応する在圏フラグが在圏を示す場合は、発信携帯番号に対応するＩＰ電話番号または小型無線通信網の代表ＩＰ電話番号を検索し、検索されたＩＰ電話番号又は代表ＩＰ電話番号を呼設定要求の発ＩＤ情報として設定して、ＩＰ交換機に対して呼設定要求を実施し、
小型基地局からの呼設定要求を受信したＩＰ交換機は、移動通信網にあるＭＳＣに対して回線接続要求を行い、
ＩＰ交換機からの回線接続要求を受信したＭＳＣは、ＨＬＲに対して着信すべき接続先の電話番号を送信し着信先情報の問合せを行い、
ＨＬＲは、着信すべき一般携帯電話の位置情報を読み込んで、着信側のＭＳＣを特定し、着信側のＭＳＣに対して着信処理を依頼する応答を送信し、
着信を通知された着信側のＭＳＣは、応答の情報により、着信すべき一般携帯電話がその位置登録エリアに在圏するかを確認するために一斉呼出しメッセージを送信する
ことを特徴とする前記通信システムが提供される。
【００１２】
本発明の第３の解決手段によると、
携帯電話のサービスを行う移動通信網と、ＩＰ交換機を備えたインターネットと、ＩＰ電話機と小型基地局を備え、インターネットに接続され、小型基地局が発射する電波を受信することで携帯電話機が携帯電話サービスを利用可能な小型無線通信網と、を備えた通信システムにおいて、
前記小型無線通信網は、
小型基地局に登録されている登録携帯電話の携帯番号に対して、小型無線通信網に設置されているＩＰ電話機の代表ＩＰ電話番号、小型基地局のサービス可能エリアに在圏か圏外かを識別する在圏フラグ、一斉呼出フラグを含む小型基地局番号変換テーブル
を備え、
小型基地局に登録されていない一般電話が、小型無線通信網に設置されている代表ＩＰ電話番号に発信した場合、一般電話からの発信を受信したＩＰ交換機は、小型基地局に対して着信電話番号を代表ＩＰ電話番号として回線接続要求を送信し、
ＩＰ交換機からの回線接続要求を受信した小型基地局は、小型基地局番号変換テーブルを参照し、登録されているひとつまたは複数の携帯電話の在圏フラグの確認を行い、在圏フラグが在圏を示すひとつ又は複数の携帯電話について、一斉呼出フラグのＯＮ／ＯＦＦ確認を行い、
小型基地局は、一斉呼出フラグがＯＮである一つまたは複数の携帯電話に呼出呼設定を行い呼出す
ことを特徴とする前記通信システムが提供される。
【発明の効果】
【００１３】
本発明によれば、無線ＬＡＮのアクセスポイントのような形で提供されるフェムトセルが、家庭／オフィス内の電話の固定回線や光ファイバなどとインターネット経由で接続することで、携帯電話が受信できるような電波を発射し不感地域を容易に補い、また、携帯電話等の移動体を家庭／オフィス内に設置されたＩＰ電話の子機イメージとしてエンドユーザが使用することが可能とすることで、移動通信網を使用せずにＩＰ電話網を使用することによる通話料の削減が期待でき、また、携帯電話が増加することによる移動通信網のリソースが不足し携帯電話へ接続し難いといったエンドユーザに対するサービス低下を緩和することが可能となる。更に、エンドユーザは、所有する携帯電話が家庭／オフィス内と外出先での通話手段として全て１台の携帯電話で使用可能となるため、ユーザが複数の電話を区別して使用するといった煩わしさがなくなりユーザの利便性が向上する。
【図面の簡単な説明】
【００１４】
【図１】本実施の形態の接続構成図
【図２】移動通信網とフェムトセルの構成図
【図３】移動体通信網にあるＨＬＲのＨＬＲ番号変換テーブルの構成図
【図４】フェムトセルの番号変換テーブルの構成図
【図５】登録携帯電話が在圏した場合の登録シーケンス図
【図６】登録携帯電話が圏外になる場合の登録解除シーケンス図
【図７】一般携帯電話からフェムトセルに登録された携帯電話に着信した場合のシーケンス図
【図８】フェムトセルに登録されている携帯電話から、一般携帯電話に発信した場合のシーケンス図
【図９】代表ＩＰ電話に着信があった場合にフェムトセルの発射する電波のサービスエリアに在圏する登録携帯電話を一斉呼出しするシーケンス図
【発明を実施するための形態】
【００１５】
以下、本発明の一実施形態を図面に基づいて説明するが、本発明はこの実施の形態に限定されない。
１．システム
図１は、本実施の形態のシステムの接続構成図である。公衆通信網は、固定電話のサービスを行う通信キャリアのＰＳＴＮ（固定電話網）１００、携帯電話のサービスを行う移動通信網１０１、家庭／オフィス内に設置されたルータが接続するインターネット１０２を含む。家庭／オフィス１０３には、インターネット１０２に接続されたルータ１０４が備えられ、ルータ１０４には、家庭／オフィス１０３の固定電話であるＩＰ電話機１０７と小型無線基地局であるフェムトセル（小型基地局）１０５が接続される。携帯電話機１０６は、フェムトセル１０５が発射する電波を受信することで発着信等の携帯電話サービスを利用可能となるような構成となっている。なお、この接続構成図では、ルータ１０４と小型無線基地局であるフェムトセル１０５を分けて記載しているが、フェムトセル１０５の種類によってはルータ１０４とフェムトセル１０５が一体型構造となっていてもよく、この場合、フェムトセル１０５は、その構造と関係なく、ＩＰ電話機能が具備されている。
【００１６】
図２は、移動通信網１０１とフェムトセル１０５の構成を示した図である。移動通信網１０１は、携帯電話と無線基地局間に無線チャネルの割当やルーティング処理を実施する移動通信制御局（ＭＳＣ、Ｍｏｂｉｌｅ  Ｓｗｉｔｉｎｇ  Ｃｅｎｔｅｒ）２０１と、携帯電話が現在在圏する場所（エリア）がどこであるかを管理するＨＬＲ（Ｈｏｍｅ  Ｌｏｃａｔｉｏｎ  Ｒｅｓｉｓｔｏｒ）２０２と、それらを接続するためのスイッチであるＳＴＰ（Ｓｉｇｎａｌ  Ｔｒａｎｓｆｅｒ  Ｐｏｉｎｔ）２０５とを備える。携帯電話が在圏する場所（エリア）の管理を行うＨＬＲ２０２は、ＨＬＲ制御部２０３とＨＬＲ番号変換テーブル２０４を有し、ＨＬＲ制御部２０３は、ＨＬＲ番号変換テーブル２０４が管理している携帯電話情報の登録や削除といったユーザ情報の管理を実施する。フェムトセル１０５は、小型基地局制御部２０６と番号変換テーブル２０７を備える。小型基地局制御部２０６は、番号変換テーブル２０７が管理している携帯電話のユーザ情報の登録や削除といったフェムトセル１０５におけるユーザ情報の管理を実施する。ＨＬＲ２０２は、ひとつ又は複数のＭＳＣ２０１と、ＳＴＰ２０５を介して接続され、ＨＬＲ制御部２０３は、ＨＬＲ番号変換テーブル２０４にデータを書き込み又はそこからデータを読み出すことができる。
インターネット網経由で家庭／オフィス内に設置されたフェムトセルに登録されている携帯電話が、そのフェムトセルが発射する電波のサービスエリアに在圏した場合に、他の携帯電話から着信があると、移動通信網１０１にあるＭＳＣ２０１はＨＬＲ２０２にあるＨＬＲ番号変換テーブル２０４の登録携帯電話ユーザ情報を確認し、登録携帯電話番号をインターネット１０２を介して接続するためのＩＰ電話の電話番号に変換してＩＰ電話交換機に対して発信する。移動通信網１０１からの着信を受けたＩＰ電話交換機は、着信させる電話番号から接続すべきＩＰ電話を検索し、インターネット１０２網を介してフェムトセル１０５に呼接続するが、この時フェムトセル１０５は自身の番号変換テーブル２０７から着信したＩＰ電話番号を登録されている携帯電話の携帯番号に変換し呼出しすることで、着信があった携帯電話１０６側でオフフック（応答）すると通話状態となる。また、フェムトセル１０５が発射する電波のサービスエリアに在圏した登録携帯電話１０６が一般の携帯電話に発信した場合、フェムトセルはＩＰ電話交換機に対して携帯電話からの発信をＩＰ電話からの発信としてインターネット１０２を介して接続し、ＩＰ電話交換機は移動体通信網にある無線基地局／ＭＳＣ２０１に対して発信処理を行い一般の携帯電話に着信させることで、発信側の携帯電話があたかも家庭／オフィス内に設置されたＩＰ電話の子機イメージとしてエンドユーザが使用可能となる。
【００１７】
図３は、移動体通信網１０１にあるＨＬＲ２０２のＨＬＲ番号変換テーブル２０３の構成図である。移動体通信網１０１にあるＨＬＲ２０２のＨＬＲ番号変換テーブル２０４は、フェムトセル１０５に登録されている携帯電話１０６のユーザ毎に管理され、携帯電話１０６の携帯番号３０１、家庭／オフィス１０３に設置されている固定電話であるＩＰ電話のＩＰ電話番号３０２、携帯電話１０６がフェムトセル１０５の発射する電波エリアに存在するか否かを管理する転送フラグ３０３により管理されている。
転送フラグ３０３については、この例では、次のようにＯＮ又はＯＦＦが定められる。フェムトセル１０５に登録されている携帯電話１０６が、フェムトセル１０５のサービスエリアでフェムトセル１０５が発射する電波を補足するとフェムトセル１０５はインターネット１０２を介してＨＬＲ２０２に在圏情報通知し、その在圏情報通知を受信したＨＬＲ制御部２０３は、ＨＬＲ変換テーブル２０３の転送フラグ３０３をＯＮにステータスを変化させる。逆に、ユーザが携帯電話１０６を持って家庭／オフィスから外出した場合、携帯電話１０６がフェムトセルの発射する電波を補足することができなくなるため、その場合には、フェムトセル１０５はＨＬＲ２０２にインターネット１０２を介して圏外情報通知し、その圏外情報通知を受信したＨＬＲ制御部２０３は、ＨＬＲ変換テーブル２０４の転送フラグ３０３をＯＦＦにステータス変更する。また、フェムトセル１０５の圏外情報通知よりも先に、携帯電話１０６がフェムトセル１０５の発射する電波のサービスエリアから公衆網の他基地局が発射する電波のサービスエリアに移動したことで発生する位置登録処理により圏外情報通知となる場合もあり、その時にはフェムトセル１０５ではなく公衆網の他の基地局からの位置登録処理であることで、ＨＬＲ制御部２０３は携帯電話１０６がフェムトセル１０５のサービスエリア圏外にいると判定し、ＨＬＲ変換テーブル２０４の転送フラグ３０３をＯＦＦにステータス変更する。
【００１８】
図４は、フェムトセル１０５の番号変換テーブル２０７の構成図である。フェムトセル１０５に構成されている番号変換テーブル２０７は、フェムトセル１０５に登録されている携帯電話１０６毎に、携帯番号４０１、ＩＰ電話番号４０２、代表ＩＰ電話番号４０３、在圏フラグ４０４、ＩＰ電話呼出フラグ４０５、発ＩＤ情報４０６、一斉着信フラグ４０７を含む。携帯番号４０１は、フェムトセル１０５に登録されている携帯電話１０６の携帯番号である。ＩＰ電話番号４０２は、家庭／オフィス１０３に設置されているインターネット１０２してＰＳＴＮ１００に接続する固定電話であるＩＰ電話機に着信させるために登録携帯電話毎に割り当てられるＩＰ電話番号であり、代表ＩＰ電話番号４０３は、そのＩＰ電話機の代表ＩＰ電話番号である。在圏フラグ４０４は、フェムトセル１０５に登録されている携帯電話１０６がフェムトセル１０５の発射する電波を補足しサービス可能エリアに在圏か否かを識別するフラグである。ＩＰ電話呼出フラグ４０５は、フェムトセル１０５に登録されている携帯電話１０６を呼出しユーザが応答しなかった場合に、フェムトセル１０５は携帯電話１０６の呼出しを停止し代表ＩＰ電話番号で固定電話であるＩＰ電話１０７に着信させるための情報を管理するフラグである。発ＩＤ情報４０６は、フェムトセル１０５に登録されている携帯電話１０６が他の携帯電話や固定電話に発信した場合の発信元の番号表示を携帯電話番号か代表ＩＰ電話番号かの何れかにを選択するために設定情報を管理する発ＩＤ情報４０６である。一斉着信フラグ４０７は、他の携帯電話や固定電話から代表ＩＰ電話番号に着信があった場合に、その着信時にフェムトセル１０５が発射するサービスエリアに在圏している登録携帯電話の全てに着信させるためのフラグである。
【００１９】
図３および図４に示したＨＬＲ番号変換テーブル２０４及び番号変換テーブル２０７は、フェムトセル１０５に登録されている携帯電話１０６が、例えば携帯電話の操作により強制的に又は自動的に、フェムトセル１０５が発射している電波を補足すると、フェムトセル１０５は、フェムトセル１０５の小型基地局制御部２０６が番号変換テーブル２０７の在圏フラグ４０４のフラグをＯＮにステータス変更し、ルータ１０４を介し、インターネット１０２経由でＨＬＲ２０２に携帯電話１０６がフェムトセル１０５に在圏したことを在圏情報通知により通知し、ＨＬＲ２０２のＨＬＲ制御部２０３が在圏情報通知を受信するとＨＬＲ変換テーブル２０４の転送フラグ３０３をＯＮにステータス変更する。
【００２０】
２．登録・登録解除
図５は、登録携帯電話が在圏した場合の登録シーケンス図である。家庭／オフィス内にあるフェムトセル１０５に登録されている携帯電話１０６が、例えば携帯電話の操作により強制的にフェムトセル１０５が発射している電波（専用ＦＡ（Ｆｒｅｑｕｅｎｃｙ  Ａｓｓｉｇｎｍｅｎｔ））を補足させるために専用ＦＡ割当操作５０１を実施すると、携帯電話１０６はフェムトセル１０５からの報知情報を受信５０２し、携帯電話１０６の携帯電話端末固有の識別情報を送信し位置登録を要求することで在圏フラグＯＮ通知（在圏情報通知）５０３をフェムトセル１０５に通知し番号変換テーブル２０７における当該携帯電話の携帯番号に対する在圏フラグ４０４のフラグをＯＮにステータス変更する。次に、フェムトセル１０５は、インターネットを介して移動通信網１０１にあるＨＬＲ２０２に対して転送フラグＯＮ通知（在圏情報通知）５０４を通知し、ＨＬＲ２０２のＨＬＲ制御部２０１はＨＬＲ変換テーブル２０４における当該携帯電話の携帯番号に対する転送フラグ３０３をＯＮにステータス変更させ、フェムトセル１０５に転送フラグＯＮ完了通知５０５を伝達する。さらに、フェムトセル１０５は、転送フラグＯＮ完了通知５０５を受信することで、携帯電話１０６に対して在圏フラグＯＮ完了通知５０６を伝達する。
また、携帯電話からの操作の他にも、フェムトセル１０５は、フェムトセル１０５に登録されていて、且つフェムトセル１０５の発射する電波のサービスエリアに在圏している携帯電話１０６に対して定期的に疎通確認（ライフチェック）を行っており、フェムトセル１０５から携帯電話１０６への疎通確認（ライフチェック）に携帯電話１０６から応答があるとで、携帯電話１０６がフェムトセル１０５の発射する電波のサービスエリアに在圏していると管理することもできる。
【００２１】
図６は、登録携帯電話が圏外になる場合の登録解除シーケンス図である。フェムトセル１０５に登録されている携帯電話１０６が例えば携帯電話の操作により強制的にフェムトセル１０５が発射している電波（ＦＡ）を補足していた状態から専用ＦＡ割当解除操作６０１を実施すると、携帯電話１０６は在圏フラグＯＦＦ通知（圏外情報通知）６０２をフェムトセル１０５に通知し、フェムトセル１０５にある小型基地局制御部２０６は番号変換テーブル２０７における、当該携帯電話の携帯番号に対する在圏フラグ４０４のフラグをＯＦＦにステータス変更し、フェムトセル１０５は在圏フラグＯＦＦ完了通知６０３を携帯電話１０６へ伝達する。次に、フェムトセル１０５は、ＨＬＲ２０２に対して転送フラグＯＦＦ通知（圏外情報通知）６０４を通知し、ＨＬＲ２０２のＨＬＲ制御部２０２はＨＬＲ変換テーブル２０４における当該携帯電話の携帯番号に対する転送フラグ３０３をＯＦＦにステータス変更させ、ＨＬＲ２０１はフェムトセル１０５に対して転送フラグＯＦＦ完了通知６０５を伝達する。
また、上述の説明は専用ＦＡ割当解除操作実施６０１をした場合の動作となるが、フェムトセル１０５の発射する電波のサービスエリアに在圏する時に、ユーザが携帯電話１０６の電源を切る操作を行った場合や、ユーザが専用ＦＡ割当解除操作実施６０１を実施しないでフェムトセル１０５が発射する電波のサービスエリアから移動した場合もフェムトセル１０５のサービスを受けることができない状態となる。これらの場合も、フェムトセル１０５は、フェムトセル１０５に登録されていて、且つフェムトセル１０５の発射する電波のサービスエリアに在圏している携帯電話１０６に対して定期的に疎通確認（ライフチェック）を行っており、フェムトセル１０５から携帯電話１０６への疎通確認（ライフチェック）に携帯電話１０６から応答がない場合には、携帯電話１０６はフェムトセル１０５が発射する電波のサービスエリア圏外と判断することができる。この場合、フェムトセル１０５にある小型基地局制御部２０６は番号変換テーブル２０７における当該携帯電話の携帯番号に対する在圏フラグ４０４のフラグをＯＦＦにステータス変更し、ＨＬＲ２０２に対して転送フラグＯＦＦ通知を通知し、ＨＬＲ２０２のＨＬＲ制御部２０２はＨＬＲ変換テーブル２０４の転送フラグ３０３をＯＦＦにステータス変更させ、ＨＬＲ２０１はフェムトセル１０５に対して転送フラグＯＦＦ完了通知を伝達する。
【００２２】
さらに、フェムトセル１０５に登録されている携帯電話１０６が、専用ＦＡ割当解除操作を実施せずにフェムトセル１０５のサービスエリアから外れた場合には、フェムトセル１０５は、フェムトセル１０５に登録されていて、且つフェムトセル１０５の発射する電波のサービスエリアに在圏している携帯電話１０６に対して定期的に疎通確認（ライフチェック）によるサービスエリア圏外を判断する前に、近傍の他無線基地局のサービスエリアに移った場合に行われる位置登録処理において、その位置登録処理でＨＬＲ２０２はフェムトセル１０５に登録されていた携帯電話がフェムトセル１０５の発射する電波のサービスエリア圏外となったと認識することもできる。この場合、ＨＬＲ制御部２０３はＨＬＲ番号変換テーブル２０４における当該携帯電話の携帯番号に対する在圏フラグ４０４をＯＦＦにステータス変更し、ＨＬＲ２０１はフェムトセル１０５に対して在圏フラグＯＦＦ通知を伝達し、それを受信したフェムトセル１０５の小型基地局制御部２０６は、番号変換テーブル２０７における当該携帯電話の携帯番号に対する在圏フラグ４０４をＯＦＦにステータス変更する。この時、ＨＬＲ制御部２０２、および小型基地局制御部２０６は、受信したステータス変更通知とＨＬＲ番号変換テーブル２０４、および番号変換テーブル２０７のステータスが同じ場合にはメッセージを破棄するようにしてもよい。
なお、以上のように、ＨＬＲ２０１は、複数のＭＳＣ２０１からの情報を収集していろいろな位置にある複数の携帯電話１０６に対する情報をＨＬＲ２０２に記憶することができる。
【００２３】
３．着信・発信
図７は、一般携帯電話からフェムトセルに登録された携帯電話に着信した場合のシーケンス図である。一般携帯電話がフェムトセル１０５に登録されている携帯電話１０６（０９０−１２３４−５６７８）へ発信した場合、一般携帯電話から無線基地局に発信信号が送られ無線チャネルが確立される（（１）発信）。一般携帯電話は、その無線基地局との間に確立された無線チャネルを使用しＭＳＣへサービス要求信号を送信する（（２）サービス要求）。ＭＳＣがこの一般携帯電話から受信したサービス要求信号には、携帯電話から移動通信網に対して、どのようなサービスをして欲しいかの情報を含んでおり、自分自身の電話番号や着信側の電話番号、音声通信やデータ通信などを伝達する目的で一般携帯電話は送信する。ＭＳＣは、サービス要求を送ってきた一般携帯電話に対し正しい端末か偽物でないかを確認する端末認証を行い、正しい端末であることが分かると、ＭＳＣは盗聴等に備えて、何種類かあるデータ暗号化方式の種別を指定する（（３）端末認証・暗号化種別指定）。一般携帯電話は、ＭＳＣから指定された暗号化種別により送信データの暗号化を行い、発信側の携帯電話と着信側の携帯電話を接続して通信状態にするために、呼設定要求信号をＭＳＣに送信する（（４）呼設定要求）。この呼設定要求信号には、ＱｏＳ（Ｑｕａｌｉｔｙ  Ｏｆ  Ｓｅｒｖｉｃｅ情報、上り／下り別の情報転送速度指定などネットワークサービスの品質指定情報）や接続先の番号が含んでいる。
ＭＳＣは、ＨＬＲに接続先の電話番号を送り、着信情報の問い合わせを実施する（（５）着信情報問合せ）。この時、通常の処理では、ＨＬＲは着信すべき携帯電話の位置登録情報を読み込んで、着信側ＭＳＣを特定し、着信側ＭＳＣに対して着信処理依頼を行うが、本実施の形態では、ＨＬＲ２０２のＨＬＲ番号変換テーブル２０４の転送フラグ３０３の情報により着信側携帯電話の携帯番号に対する転送フラグ３０３のＯＮ／ＯＦＦを確認することで、転送フラグ３０３がＯＮの場合にはＨＬＲ２０２のＨＬＲ番号変換テーブル２０４のＩＰ電話番号３０２に登録されているＩＰ電話番号（０５０-１２３-４５６７）に変換し、移動通信網より通話料が安価なＩＰ電話網であるインターネット／ＩＰ電話交換機に対して着信処理依頼をするために、ＭＳＣに、ＩＰ電話番号を含む応答情報を送信する（（６）応答）。なお、反対に、着信側携帯電話の携帯番号３０１に対する転送フラグ３０３がＯＦＦの場合には、公知又は周知のように、ＨＬＲ２０２が読み込んだ着信すべき携帯電話の電話番号に基づき、携帯電話の位置登録情報（例：ＨＬＲ２０２に記憶された情報）から接続すべき着信側のＭＳＣを特定し、着信側のＭＳＣへの通常の着信処理依頼を実施するため、着信側のＭＳＣはエリア内の端末呼出のためのローミング番号を生成し発信側のＭＳＣに通知する（図示せず）。
転送フラグ３０３がＯＮの場合は、ＭＳＣは、ＨＬＲ２０２からの応答情報に従い、着信すべきＩＰ電話番号を確認し、インターネット／ＩＰ交換機まで回線を接続する（（７）回線接続）。ＩＰ交換機は、インターネット１０２を介して接続されているフェムトセル１０５に対して回線接続を行い、着信ＩＰ電話番号を送信する（（８）回線接続）。回線接続を要求されたフェムトセルは、ＩＰ電話番号を利用して、番号変換テーブル２０７に格納されているＩＰ電話番号４０２を用いて登録携帯番号の検索を行い、該当の携帯番号４０１に変換し、その登録されている携帯番号にて着信すべき携帯電話の呼出を行い、その着信した携帯電話が応答することで通話状態となる（（９）呼出呼設定）。
【００２４】
この時、フェムトセル１０５には呼出タイマーが具備されているため、その呼出タイマー時間の呼出を行った着信した携帯電話から応答をフェムトセル１０５が受信しない場合には、フェムトセル１０５はデータベースである番号変換テーブル２０７に格納されている情報からＩＰ電話呼出フラグ４０５のＯＮ／ＯＦＦ状態を確認し、ＩＰ電話呼出フラグ４０５がＯＦＦの場合には呼接続を終了させ、ＩＰ電話呼出フラグ４０５がＯＮの場合には、それまで呼出を行っていた携帯番号を代表ＩＰ電話番号（０５０-９８７-６５４３）に変換し、固定電話である代表ＩＰ電話の呼出を実行し、そのＩＰ電話１０７が応答することにより通話状態となる（（１０）呼出呼設定）。
なお、本説明においては、ＨＬＲ２０２の番号変換テーブル２０４に登録されているＩＰ電話番号３０２は、携帯番号３０１毎に別な電話番号としていているが、フェムトセル１０５に登録されている複数の携帯電話を全て同一のＩＰ電話番号とし、「（７）回線接続」時の内線番号情報として、携帯番号３０１等のユーザ識別番号又は内線番号の情報を設定して、携帯番号３０１に対して付加することで、ＩＰ交換機からの回線接続メッセージからフェムトセル１０５が着信すべき携帯電話を識別する方法も可能である。このとき、例えば、ＨＬＲ２０２の番号変換テーブル２０４及びフェムトセル１０５の番号変換テーブル２０７には、フェムトセル１０５に登録されている複数の携帯電話を全て同一のＩＰ電話番号とし、各携帯番号に対して、ユーザ識別番号または内線番号を回線接続時の内線番号情報として設定する。そして、ＭＳＣ２０１は、ＩＰ交換機を経てフェムトセル１０５へ、回線接続メッセージに内線番号情報を含めて伝送し、フェムトセル１０５は、内線番号情報に従い番号変換テーブル２０７を参照し、着信すべき携帯番号を識別することができる。
【００２５】
図８は、フェムトセル１０５に登録されている携帯電話１０６から、一般携帯電話に発信した場合のシーケンス図である。小型基地局制御部２０６は、番号変換テーブル２０７を参照し、発信した携帯電話１０６の携帯番号における在圏フラグがＯＮの場合、フェムトセル１０５が発信する電波のサービスエリアに在圏する登録されている携帯電話１０６から一般携帯電話（０９０-３４５６-７８９０）に発信した場合（（１）発信）と判断する。このとき、フェムトセル１０５は携帯電話からの発信処理を、ＩＰ電話からの発信として処理することで、インターネット１０２を介してＩＰ電話交換機に対して呼設定要求を実施する（（２）呼設定要求）。この呼設定要求を処理する際に、フェムトセル１０５は番号変換テーブル２０７にある発ＩＤ設定４０６情報の確認を行い、このフィールドに設定されている情報により、携帯番号が設定されている場合には、発信した携帯電話の携帯番号、代表ＩＰ電話番号が設定されている場合には、発信した携帯電話が登録されているフェムトセル１０５が接続されている代表ＩＰ電話番号を呼設定要求の発ＩＤ情報として設定する。フェムトセル１０５からの呼設定要求を受信したＩＰ電話交換機は、移動通信網１０１にあるＭＳＣに対して回線接続要求を行う（（３）回線接続）。
ＩＰ電話交換機からの（３）回線接続を受信したＭＳＣは、ＨＬＲ２０２に対して着信すべき接続先の電話番号を送信し、着信先情報の問合せを行う（（４）着信情報問合せ）。ＨＬＲ２０２は、着信すべき一般携帯電話の位置情報を読み込んで、着信側のＭＳＣを特定し、着信側のＭＳＣ２０１に対して着信処理を依頼する（（５）応答）。「（５）応答」に含まれる情報により、着信を通知された着信側のＭＳＣ２０１は、ＭＳＣ自身が管理する位置登録エリア全体に対して着信すべき一般携帯電話がその位置登録エリアに在圏するかを確認するために一斉呼出し（ページング）メッセージを送信する（（６）一斉呼出）。ＭＳＣからの一斉呼出し（ページング）メッセージを受信した着信側の一般携帯電話は、ＭＳＣに対して応答メッセージを返信する（（７）応答）。ＭＳＣは、着信側の一般携帯電話に対し正しい端末か偽物でないかを確認する認証を行い、正しい端末であることが分かると、ＭＳＣは盗聴等に備えて、何種類かあるデータ暗号化方式の種別を指定する（（８）端末認証、暗号化識別指定）。着信側ＭＳＣは、回線をつなぐための呼設定を要求し（（９）呼設定）、着信側一般携帯電話と無線ネットワーク制御装置との間を接続し、一般携帯電話が応答することで通話状態となる。
【００２６】
図９は、代表ＩＰ電話に着信があった場合にフェムトセル１０５の発射する電波のサービスエリアに在圏する登録携帯電話を一斉に呼出しするシーケンス図である。一般電話が、家庭／オフィスに設置されている代表ＩＰ電話番号（０５０−９８７−６５４３）で発信する（（１）発信）。一般電話からの発信を受信したＩＰ電話交換機は、インターネット１０２を介してフェムトセル１０５に対して着信電話番号を代表ＩＰ電話番号（０５０−９８７−６５４３）として回線の接続を要求する（（２）回線接続）。ＩＰ電話交換機からの「（２）回線接続要求」を受信したフェムトセル１０５は、番号変換テーブル２０７に格納されている代表ＩＰ電話番号に相当する携帯電話Ａおよび携帯電話Ｂ等の在圏フラグ４０４の確認を行い、携帯電話Ａおよび携帯電話Ｂ等の在圏フラグ４０４のステータスがＯＮであった場合には、フェムトセル１０５の一斉呼出フラグ４０７のＯＮ／ＯＦＦ確認を行う。この時、フェムトセル１０５の携帯電話Ａ及び携帯電話Ｂ等における一斉呼出フラグ４０７のステータスがＯＮであった場合には、フェムトセル１０５は該当する携帯電話に呼出呼設定を行う（（３）呼出呼設定及び（４）呼出呼設定）。この例では、携帯電話Ａと同時に携帯電話Ｂに対しても呼出呼設定を行う。
この時、フェムトセル１０５には呼出タイマーが具備されているため、その呼出タイマー時間の呼出を行った着信した携帯電話から応答をフェムトセル１０５が受信しない場合には、フェムトセル１０５はデータベースである番号変換テーブル２０７に格納されている情報からＩＰ電話呼出フラグ４０５のＯＮ／ＯＦＦ状態を確認し、ＩＰ電話呼出フラグ４０５がＯＦＦの場合には呼接続を終了させ、ＩＰ電話呼出フラグ４０５がＯＮの場合には、携帯番号４０１に対する代表ＩＰ電話番号４０３を参照し、それまで呼出を行っていた携帯番号を代表ＩＰ電話番号（０５０-９８７-６５４３）に変換し、固定電話である代表ＩＰ電話の呼出を実行し、そのＩＰ電話１０７が応答することにより通話状態となる（（５）呼出呼設定）。
なお、本説明に使用した例では、携帯番号で呼出を行った後に代表ＩＰ電話番号で呼出直す方法について記載しているが、代表ＩＰ電話番号と携帯番号を同時に呼出する方法や、代表ＩＰ番号のみ呼出し後に、予め定められたタイマー時間の経過後に、携帯番号を呼出しする方法も可能であり、上述の説明の限りではない。
【産業上の利用可能性】
【００２７】
本発明によれば、携帯電話等の移動通信機器を家庭／オフィス内に設置されたＩＰ電話の子機イメージとして動作させることを可能とし、携帯電話より安価なＩＰ電話を使用することで通話料の削減が期待でき、また、移動通信網のリソースが不足し携帯電話へ接続し難いといったサービス低下を緩和することを可能とする。
【符号の説明】
【００２８】
１００：ＰＳＴＮ（Ｐｕｂｌｉｃ  Ｓｗｉｔｃｈｅｄ  Ｔｅｌｅｐｈｏｎｅ  Ｎｅｔｗｏｒｋｓ）
１０１：移動通信網
１０２：インターネット
１０３：家庭／オフィス
１０４：ルータ
１０５：小型基地局（フェムトセル）
１０６：携帯電話
１０７：ＩＰ電話機
２０１：ＭＳＣ：Ｍｏｂｉｌｅ  Ｓｗｉｔｃｉｎｇ  Ｃｅｎｔｅｒ（移動通信交換機）
２０２：ＨＬＲ：Ｈｏｍｅ  Ｌｏｃａｔｉｏｎ  Ｒｅｓｉｓｔｏｒ（加入者位置情報）
３０３：ＨＬＲ制御部
２０４：ＨＬＲ番号変換テーブル
２０５：ＳＴＰ：Ｓｉｇｎａｌ  Ｔｒａｎｓｆｅｒ  Ｐｏｉｎｔ（信号中継局）
２０６：小型基地局制御部２０６：番号変換テーブル
【図１】
2010200073.tif 000003
【図２】
2010200073.tif 000004
【図３】
2010200073.tif 000005
【図４】
2010200073.tif 000006
【図５】
2010200073.tif 000007
【図６】
2010200073.tif 000008
【図７】
2010200073.tif 000009
【図８】
2010200073.tif 000010
【図９】
2010200073.tif 000011